(57)【要約】【課題】２つの回転操作部材を同一面に離して位置すると、水平方向にスペースが必要となる。【解決手段】回転軸２２、３２、円板部２４、３４を有するモードダイヤル２０（第１の回転操作部材）、シフトダイヤル３０（第２の回転操作部材）は、その回転軸２２、３２が水平方向にずれ、円板部２４、３４が、その一部で重なり、垂直方向にずれて配置されている。モードダイヤル２０の円板部２２と接触可能な位置でシフトダイヤル３０の円板部３２の上面に、リング状の凸部３３を設ければ、凸部３３がモードダイヤル２０の円板部２２の受けとなり、シフトダイヤル３０の円板部３２の上面全面に接触痕が残らない。【選択図】図２
2006086048.tif 000002
【特許請求の範囲】
【請求項１】
手動で回転操作される円板部とその回転軸とを有してなる円板状の第１、第２の回転操作部材を備えた電子機器において、
第１、第２の回転操作部材の回転軸が平面方向に相対的にずれ、第１、第２の回転操作部材の円板部が、その一部で重なり、回転軸方向に相対的にずれて配置されていることを特徴とする電子機器。
【請求項２】
手動で回転操作される円板部とその回転軸とを有してなる円板状の第１、第２の回転操作部材を備えた電子機器において
第１、第２の回転操作部材の回転軸が同軸で、その円板部が軸方向に相対的にずれて配置されていることを特徴とする電子機器。
【請求項３】
第１の回転操作部材の円板部が上に、第２の回転操作部材の円板部が下にそれぞれ位置し、
第１の回転操作部材の円板部と接触可能な位置で第２の回転操作部材の円板部上面に、リング状の凸部が設けられていることを特徴とする請求項１または２記載の電子機器。
【請求項４】
第１の回転操作部材の円板部が上に、第２の回転操作部材の円板部が下にそれぞれ位置され、
手動で回転操作される第３の回転操作部材が、第１の回転操作部材の円板部と同軸でその下方に配置されていることを特徴とする請求項１または３記載の電子機器。
【請求項５】
上記電子機器が撮像装置であることを特徴とする請求項１〜４記載の電子機器。
【発明の詳細な説明】
【技術分野】
【０００１】
本発明は手動で回転操作される円板状の複数の回転操作部材を持つ電子機器に関する。
【背景技術】
【０００２】
銀塩カメラ、デジタルカメラ、ビデオカメラなどの撮像装置をはじめ、多くの電子機器は、手動で操作される円板状の回転操作部材を複数備えて構成されている。回転操作部材の周面にはローレット加工のような滑り止め加工が施され、回転操作部材を所望の位置に手動で回転することにより、対応するスイッチがオンとなるように構成されている。たとえば、デジタルカメラは、その上面にモードダイヤル、シャッタダイヤルという２つの回転操作部材を備え、モードダイヤルを回転させて、撮影方式（ポートレート、クローズアップ、スポーツ、夜景、風景、動画など）、露光方式（プログラムＡＥ（Ｐ）、絞り優先ＡＥ（ＡＶ）、シャッタスピード優先ＡＥ（ＴＶ）、マニュアルＡＥ（Ｍ））などが選択され、シフトダイヤルを回転させて、それぞれのモードに対応した露出に係わる数値が選択される。
【０００３】
たとえば、特開２００１−２１５５４６号公報の電子ダイヤル付カメラのように、複数の回転操作部材を電子機器の同一面、たとえば、その上面に離して位置すると、水平方向にスペースが必要となるため、電子機器の小型化が難しくなり、電子機器の大型化を招くおそれが生じる。
【特許文献１】特開２００１−２１５５４６号公報
【発明の開示】
【発明が解決しようとする課題】
【０００４】
解決しようとする課題は、複数の回転操作部材を同一面に離して位置すると、平面方向にスペースが必要となり、電子機器の小型化が難しくなる点にある。
【０００５】
本発明の目的は、複数の回転操作部材を省スペース化して配置した電子機器の提供にある。
【課題を解決するための手段】
【０００６】
上記目的を達成するために、請求項１に係る本発明においては、第１、第２の回転操作部材の回転軸が平面方向に相対的にずれ、第１、第２の回転操作部材の円板部が、その一部で重なり、軸に相対的にずれて配置されている。
【０００７】
請求項２に係る本発明においては、第１、第２の回転操作部材の回転軸が同軸で、その円板部が軸方向に相対的にずれて配置されている。
【０００８】
請求項３に係る本発明においては、第１の回転操作部材の円板部が上に、第２の回転操作部材の円板部が下にそれぞれ位置し；第１の回転操作部材の円板部と接触可能な位置で第２の回転操作部材の円板部上面に、リング状の凸部が設けられている。
【０００９】
請求項４に係る本発明においては、第１の回転操作部材の円板部が上に、第２の回転操作部材の円板部が下にそれぞれ位置され；手動で回転操作される第３の回転操作部材が、第１の回転操作部材の円板部と同軸でその下方に配置されている。
【００１０】
請求項５に係る本発明においては、電子機器は撮像装置として具体化されている。
【発明の効果】
【００１１】
請求項１に係る本発明によれば、第１、第２の回転操作部材の回転軸が平面方向にずらされ、第１、第２の回転操作部材の円板部がその一部で重なって配置されているため、平面上で省スペース化される。
【００１２】
請求項２に係る本発明によれば、第１、第２の回転操作部材の回転軸が同軸で、その円板部が軸方向にずれて配置されているため、平面上で省スペース化される。
【００１３】
請求項３に係る本発明によれば、下の回転操作部材の円板部の上面に、リング状の凸部が設けられているため、上の回転操作部材の円板部が、ガタのために、下の回転操作部材の上面に接触しながら回転しても、リング状の凸部が上の回転操作部材の受けとなり、下の回転操作部材の円板部の上面全体に接触痕が形成されない。
【００１４】
請求項４に係る本発明によれば、第１、第２の回転操作部材が一部で重なり、軸方向にずれて配置されることによって生じた軸方向のスペースを利用して第３の回転操作部材が配置されるため、スペースが有効に利用され、省スペース化が可能となる。
【００１５】
請求項５に係る本発明によれば、電子機器を撮像装置として具体化しているため、小型の撮像装置が得られる。
【発明を実施するための最良の形態】
【００１６】
本発明によれば、回転操作部材を平面上または軸方向にずらし、重ねて配置することにより省スペース化を実現している。
【実施例１】
【００１７】
以下、図面を参照して本発明の実施例について説明する。図１は、電子機器として撮像装置（具体的には、デジタルカメラ）に適用した本発明の実施例１の背面斜視図を示し、図２は図１の線Ａ−Ａに沿った一部破断の縦断面図を示す。
【００１８】
図１、図２に示すように、デジタルカメラ（電子機器、撮像装置）１０は、手動で回転される２つの回転操作部材２０、３０をその上面に備えて構成されている。第１、第２の回転操作部材２０、３０は、合成樹脂などにより一体成形された円板部２２、３２とその回転軸２４、３４とを持つ略円板状にそれぞれ形成され、滑り止めのローレット加工が円板部の周面に施されている。円板部と回転軸とを一体成形せず、別体の回転軸を円板部の取付け孔に嵌合させて、円板部、回転軸を一体化してもよい。
【００１９】
たとえば、第１の回転操作部材２０はモードダイヤル、第２の回転操作部材３０はシフトダイヤルとされ、モードダイヤル２０を回転させて、撮影方式（ポートレート、クローズアップ、スポーツ、夜景、風景、動画など）、露光方式（プログラムＡＥ、絞り優先ＡＥ、シャッタスピード優先ＡＥ、マニュアルＡＥ）などのモードが選択され、シフトダイヤル３０を回転させて、それぞれのモードにおいて、露出に係わる所望の数値が選択される。モードダイヤル２０の回転位置は、円周方向に所定角度互いに離反して円板部２２の内面に形成された複数のクリック孔２２ａに、垂直方向に位置する圧縮コイルばね（図示しない）の弾性力のもとで鋼球（図示しない）を下から係止させることにより所定位置に位置決めされて、撮影方式（ポートレート）などが選択される。同様に、複数のクリック孔３２ａが円周方向に所定角度互いに離反して円板部３２の内面に形成され、水平方向に位置する圧縮コイルばね（図示しない）の弾性力のもとで鋼球（図示しない）を横からクリック孔３２ａに係止させることにより、シフトダイヤル３０の回転に間欠的なクリック感を与えながら露出などに係わる数値が選択される。
【００２０】
実施例１では、モードダイヤル２０（第１の回転操作部材）、シフトダイヤル３０（第２の回転操作部材）の回転軸２４、３４が水平方向に相対的にずらされ、それぞれの回転軸は互いに平行になり、モードダイヤル、シフトダイヤルの円板部２２、３２がその一部で重なり、上下に相対的にずれて配置されている。
【００２１】
そして、基板となる上カバー４０（固定部材）に形成された軸受け４２、４３に、回転軸２４、３４がそれぞれ回転自在に挿通され、モードダイヤル用電気接片２５を上から固着して一体化した接片台２６が回転軸２４の下端にビス２８で、シフトダイヤル用電気接片３５を上から固着して一体化した接片台３６が回転軸３４の下端にビス３８でそれぞれ固定されている。
【００２２】
ここで、互いに一部が重なる円板部２２、３２は上下に隙間を残して配置され、上のモードダイヤル２０の円板部２２が回転した場合も、下のシフトダイヤル３０の円板部３２の上面に接触しないように設計されている。しかし、モードダイヤル２０の回転軸２４、シフトダイヤル３０の回転軸３４は、上カバー４０の取付け孔４２、４３に回転可能に挿通され、取付け孔との間にガタ(隙間)あり、部品相互の製作誤差によりガタを生じ、モードダイヤル２０の円板部２２が回転するとき、下のシフトダイヤル３０の円板部３２の上面に接触して接触痕を残すおそれがある。そのため、モードダイヤル２０の円板部２２と接触可能な位置でシフトダイヤル３０の円板部３２の上面に、リング状の凸部３３が設けられている。この構成では、ガタのためにモードダイヤル２０の円板部２２が下のシフトダイヤル３０の円板部３２に接触しながら回転しても、凸部３３が円板部２２の受けとなり、円板部３２の上面全面に接触痕を残さない。
【００２３】
モードダイヤル用電気接片２５、シフトダイヤル用電気接片３５の上方で上カバー４０の下面に、モードダイヤル２０、シフトダイヤル３０に共通のフレキシブルプリント基板４４が取付けられている。そして、モードダイヤル２０、シフトダイヤル３０が回転されると、フレキシブルプリント基板４４に設けられた放射状の複数の電気接点パターン(端子)に、モードダイヤル用電気接片２５、シフトダイヤル用電気接片３５が接触することによって、上記のポートレートなどの撮影方式といったモードや、それぞれのモードに対応した所望の露出に係わる数値が選択される。
【００２４】
このように、接片台２６と一体化されたモードダイヤル用電気接片２５や、接片台３６と一体化されたシフトダイヤル用電気接片３５は、共通のフレキシブルプリント基板４４とともに、モードダイヤル２０、シフトダイヤル３０のスイッチを構成している。したがって、モードダイヤル２０、シフトダイヤル３０のスイッチ（電気接片２５、３５、接片台２６、３６、フレキシブルプリント基板４４）が、略同一の水平面上（平面上)に位置し、垂直方向（軸方向）にずれて配置されていないため、軸方向でも省スペース化され、小型化可能となる。
【００２５】
なお、参照符号５０はモードダイヤル２０と同軸に回転可能に配置された電源スイッチレバーであり、電源スイッチレバー５０も手動で回転されるから回転操作部材(第３の回転操作部材)に相当する。電源スイッチ用電気接片５５を上から固着して一体化した接片台５６がビス５８によって上カバー４０に回転自在に保持されている。そして、電源スイッチレバー５０の回転最外周先端に設けられたピン５０ａが、切片台５６に設けられたフォーク状の切欠き５６ａの中に嵌入されて、電源スイッチレバー５０が接片台５６に係合している。そのため、電源スイッチレバー５０が回転されると、接片台５６も連動して回転される。フレキシブルプリント基板４４には、電源スイッチ用電気接片５５に接触する端子（電気接点パターン；オンオフ端子）が設けられており、接片台５６の回転によって、接片台と一体化された電源スイッチ用電気接片５５がフレキシブルプリント基板４４の対応する端子(電気接点パターン)に接触して、電源スイッチのオン、オフが切換えられる。
【００２６】
モードダイヤル２０、シフトダイヤル３０自身が垂直方向にずれて配置され、モードダイヤル２０はそのずれ相当分だけ上に位置し、軸方向（垂直方向）でスペースが必要となる。しかし、図２からわかるように、この軸方向のスペースを利用して、電源スイッチレバー５０がモードダイヤル２０と同軸で下方に配置されており、スペースが有効に利用されて、省スペース化が可能となる。そして、電源スイッチレバー５０がモードダイヤル２０と無関係に配置されることによる平面上（水平方向）のスペースを考慮すれば、モードダイヤル２０、シフトダイヤル３０を垂直方向にずらして配置することにより必要となる軸方向のスペースは電源スイッチレバー５０の同軸配置による有効利用によって何らマイナス要因とならない。
【００２７】
実施例１では図１、図２に示すように、モードダイヤル２０（第１の回転操作部材）、シフトダイヤル３０（第２の回転操作部材）の回転軸２４、３４が水平方向にずらされ、その円板部２２、２４が、その一部で重なり、上下にずれて配置されている。そのため、円板部２２、２４が重ならず、水平方向に離反して配置された場合に比較して、モードダイヤル２０、シフトダイヤル３０の配置に必要な平面上（水平方向）のスペースは少なくて足り、平面上で省スペース化される。したがって、たとえば、銀塩カメラ、デジタルカメラ、ビデオカメラなどの撮像装置にこの発明を採用すれば、撮像装置が小型化できる。
【実施例２】
【００２８】
モードダイヤル２０（第１の回転操作部材）、シフトダイヤル３０（第２の回転操作部材）の回転軸２４、３４が水平方向にずらされ、その円板部２２、２４が、その一部で重なり、上下にずれて配置する代わりに、回転軸２４、３４を同軸とし、円板部２２、２４を垂直方向で重ねて配置してもよい。図３は、モードダイヤル２０、シフトダイヤル３０を同軸で垂直方向（軸方向）に相対的にずらして配置した実施例２の一部破断の縦断面図を示し、実施例１（図１、図２）と共通する部材については、同じ参照符号が付されている。
【００２９】
図３では、モードダイヤル２０の円板部２２はシフトダイヤル３０の円板部３２の上に配置され、モードダイヤルの回転軸２４はシフトダイヤルの回転軸３４の軸受穴４２及び接片台３６に回転自在に嵌合している。接片台２６は、上方に向かってリング状の凸部２６ａを外周に有し、モードダイヤル２０の回転軸２４と接片台２６とが嵌合してビス２８で固着されると、上カバー４０に対する軸方向の抜け止めと、軸方向の移動が防止される。そして、接片台３６に一体化されたシフトダイヤル用電気接片３５がフレキシブルプリント基板４４の上に、接片台２６に一体化されたモードダイヤル用電気接片２５がフレキシブルプリント基板４４の下にそれぞれ位置している。フレキシブルプリント基板４４の上下に、シフトダイヤル用電気接片３５、モードダイヤル用電気接片２５を配置して、フレキシブルプリント基板４４を共用化することにより、軸方向でスペース化できる。
【００３０】
たとえば、シフトダイヤル３０の接片台３６は、回転軸３４から軸方向に伸びたピン３４ａと接片台３６に設けられた孔３６ａとが嵌合して回転軸３４と一体的に回転可能とされる。また、シフトダイヤル３０の回転軸３４は、上カバー４０の軸受４０ａに嵌合して回転可能に配置される。なお、モードダイヤル２０のクリック孔２２ａは、円板板２２の裏面でなく、接片台２６の裏面に形成され、上カバー４０に固定された板ばね２３ａの弾性力のもとで鋼球２３ａがクリック孔２２に押し付けられている。シフトダイヤル３０は接片台３６と上カバー４０（固定部材）を挟み、さらに、モードダイヤル２０と接片台２６とで、シフトダイヤル３０、接片台３６を挟んでいる。また、フレキシブルプリント基板４４は、接片台２６、３６に挟まれて配置されている。そのため、モードダイヤル２０、シフトダイヤル３０は独立に回転することができる。
【００３１】
このように、モードダイヤル２０（第１の回転操作部材）、シフトダイヤル３０（第２の回転操作部材）の回転軸２４、３４を同軸とし、円板部２２、２４を垂直方向で重ねて配置すれば、水平方向で省スペース化され、小型化できる。
【００３２】
上述した実施例は本発明を説明するためのものであり、本発明は実施例に限定されるものではなく、本発明の要旨を逸脱しない範囲内において、上記以外の変形や応用が可能であることはいうまでもない。
【００３３】
たとえば、２つの回転操作部材（モードダイヤル２０、シフトダイヤル３０）を実施例１では水平方向にずらして、実施例２では垂直方向にずらしているが、水平方向または垂直方向にずらして配置する回転操作部材の数は２つに限定されず、３つ以上の回転操作部材を適宜ずらして配置してもよい。
【産業上の利用可能性】
【００３４】
本発明によれば、回転操作部材が省スペース化して配置されるため、小型化が可能となり、小型化の要請の高い分野に本発明が広範囲に応用できる。
【図面の簡単な説明】
【００３５】
【図１】電子機器として撮像装置（具体的には、デジタルカメラ）に適用した本発明の実施例１の斜視図を示す。
【図２】図１の線Ａ−Ａに沿った一部破断の縦断面図を示す。
【図３】図２に対応する実施例２の一部破断の縦断面図を示す。
【符号の説明】
【００３６】
１０      撮像装置（デジタルカメラ）
２０      モードダイヤル（第１の回転操作部材）
２２      モードダイヤルの円板部
２４      モードダイヤルの回転軸
３０      シフトダイヤル（第２の回転操作部材）
３２      シフトダイヤルの円板部
３３      リング状の凸部
３４      シフトダイヤルの回転軸
５０      電源レバー（第３の回転操作部材）
【図１】
2006086048.tif 000003
【図２】
2006086048.tif 000004
【図３】
2006086048.tif 000005